(57)【要約】【課題】皿部で掬う方向又はその反対方向の荷重に基づく曲げモーメントによって、折り畳まれる方向に変形するのを極力防止することのできる折畳式スプーンを提供することを課題としている。【解決手段】柄部３は先端部が皿部に一体的に形成された第１の柄部４と、先端部が第１の柄部４の基端部に回動軸部６を介して回動自在に連結された第２の柄部５とを備えており、回動軸部６は回動中心線Ｃｔの方向が皿部による掬う方向の力Ｆ１又はその反対方向の力Ｆ２に基づく曲げモーメントＭ１、Ｍ２の回動軸線Ｌ１の方向に略直交し、かつ第１の柄部４の延在方向Ｌ２に略直交する方向に向けられていることを特徴とする構成になっている。【選択図】図２
2018099159.tif 000002
【特許請求の範囲】
【請求項１】
凹状の皿部に設けた柄部を折り畳み可能に構成した折畳式スプーンであって、
前記柄部は、先端部が前記皿部に一体的に形成された第１の柄部と、先端部が前記第１の柄部の基端部に回動軸部を介して回動自在に連結された第２の柄部とを備えており、
前記回動軸部は、その回動中心線の方向が、前記皿部に作用する掬う方向の力又はその掬う方向とは反対の方向の力に基づく曲げモーメントの回動軸線の方向に略直交し、かつ当該第１の柄部の延在する方向に略直交する方向に向けられていることを特徴とする折畳式スプーン。
【請求項２】
前記第１の柄部の基端部及び前記第２の柄部の先端部の一方には、係止凸部が設けられ、
前記第１の柄部の基端部及び前記第２の柄部の先端部の他方には、前記第２の柄部が少なくとも前記第１の柄部の基端側に長く延在するように開いた状態において、前記係止凸部に係合して前記開いた状態を保持する係止凹部が設けられていることを特徴とする請求項１に記載の折畳式スプーン。
【請求項３】
前記第１の柄部の基端部及び前記第２の柄部の先端部の一方には、前記回動軸部が一体的に形成され、
前記第１の柄部の基端部及び前記第２の柄部の先端部の他方には、前記回動軸部が嵌合する孔部が形成されていることを特徴する請求項１又は２に記載の折畳式スプーン。
【請求項４】
前記回動軸部と孔部とは、締り嵌めの寸法公差で嵌合されていることを特徴とする請求項３に記載の折畳式スプーン。
【請求項５】
前記回動軸部の先端側には、当該回動軸部が前記孔部に嵌合した状態において当該孔部から突出した状態となる抜止部が設けられており、
前記抜止部は、その外周面が先端側から基端側に向けて前記孔部の内径より小さな径から当該孔部の内径より大きな径に漸次テーパ状に拡径するように形成され、基端が前記回動軸部の径まで段状に縮径された係止端面によって形成されていることを特徴とする請求項３又は４に記載の折畳式スプーン。
【発明の詳細な説明】
【技術分野】
【０００１】
本発明は、アイスクリームやヨーグルト等の粘稠性材料を収容する使い捨て容器にコンパクトに折り畳んだ状態で付属させることが可能な折畳式スプーンに関する。
【背景技術】
【０００２】
折畳式スプーンとしては、図５に示すものが知られている（例えば、下記特許文献１の図３５及び図３６）。この折畳式スプーンは、凹状の皿部１０１に設けた柄部１０２が第１の柄部１０３と、第２の柄部１０４によって構成されている。第１の柄部１０３は、その基端部が第２の柄部１０４の先端部に設けられたヒンジ１０５を介して回動自在に連結されている。ヒンジ１０５は、皿部１０１のすくい面が第２の柄部１０４に離接する方向に回動することが可能なように、その回動中心としての回動軸線Ｌの方向が設定されている。
【０００３】
また、第２の柄部１０４には、ヒンジ部１０５の先端側に、一対の係止爪部１０６、１０６が設けられている。係止爪部１０６、１０６は、皿部１０１が第２の柄部１０４の先端側に位置するように、第１の柄部１０３を第２の柄部１０４の先端側に回動した状態において、当該第１の柄部１０３の基端部と第２の柄部１０４の先端部を固定的に保持するようになっている。この状態において、第１の柄部１０３及び第２の柄部１０４は、それぞれの基端部と先端部とが重ねられた状態で直線状に長く延在した開いた状態になる。
【０００４】
上記のように構成された折畳式スプーンにおいては、第１の柄部１０３を第２の柄部１０４側に回動することによって折り畳むことができ、第１の柄部１０３を第２の柄部１０４の先端側に開くことによって、第１の柄部１０３と第２の柄部１０４が長く延在した開いた状態にすることができる。
【０００５】
しかしながら、上記折畳式スプーンにおいては、皿部１０１に作用する掬う方向やその掬う方向とは反対の方向の荷重に基づく最大曲げモーメントが第１の柄部１０３の基端部に作用することになるが、この基端部にはヒンジ１０５や係止爪部１０６、１０６が設けられており、かつ上記曲げモーメントの方向がヒンジ１０５の回動軸線Ｌ回りの方向に生じることになる。このため、ヒンジ１０５の近傍に設けた係止爪部１０６、１０６には上記曲げモーメントに基づく極めて大きな荷重が作用することになる。
【０００６】
この場合、アイスクリームを単に掬う方向に皿部１０１を動かす場合には、当該皿部１０１には第１の柄部１０３を畳む方向の力が作用することはなく、係止爪部１０６、１０６に荷重が作用することはない。しかし、皿部１０１の先端部をアイスクリームの表面にほぼ垂直に当てて押し込もうとするような場合には、皿部１０１がその先端側から凹状に湾曲していることから、いわゆる楔の作用が働き、当該皿部１０１には第１の柄部１０３を畳む方向に動かそうとする力が作用することになる。
【０００７】
このため、第１の柄部１０３の基端部には、ヒンジ１０５を支点にして折り畳む方向に大きな曲げモーメントが作用することになるので、ヒンジ１０５近傍に設けた係止爪部１０６、１０６のみでは、第１の柄部１０３の基端部を支えきれず、当該第１の柄部１０３が係止爪部１０６、１０６から外れて第２の柄部１０４側に回動してしまうという問題がある。
【先行技術文献】
【特許文献】
【０００８】
【特許文献１】特許第４７６７９７０号公報
【発明の概要】
【発明が解決しようとする課題】
【０００９】
本発明は、上記事情に鑑みてなされたものであり、皿部によって掬う方向又は掬う方向とは反対の方向に作用する荷重に基づく曲げモーメントによって、折り畳まれる方向に変形するのを極力防止することのできる折畳式スプーンを提供することを課題としている。
【課題を解決するための手段】
【００１０】
上記課題を解決するために、請求項１に記載の発明は、凹状の皿部に設けた柄部を折り畳み可能に構成した折畳式スプーンであって、前記柄部は、先端部が前記皿部に一体的に形成された第１の柄部と、先端部が前記第１の柄部の基端部に回動軸部を介して回動自在に連結された第２の柄部とを備えており、前記回動軸部は、その回動中心線の方向が、前記皿部に作用する掬う方向の力又はその掬う方向とは反対の方向の力に基づく曲げモーメントの回動軸線の方向に略直交し、かつ当該第１の柄部の延在する方向に略直交する方向に向けられていることを特徴としている。
【００１１】
請求項２に記載の発明は、請求項１に記載の発明において、前記第１の柄部の基端部及び前記第２の柄部の先端部の一方には、係止凸部が設けられ、前記第１の柄部の基端部及び前記第２の柄部の先端部の他方には、前記第２の柄部が少なくとも前記第１の柄部の基端側に長く延在するように開いた状態において、前記係止凸部に係合して前記開いた状態を保持する係止凹部が設けられていることを特徴としている。
【００１２】
請求項３に記載の発明は、請求項１又は２に記載の発明において、前記第１の柄部の基端部及び前記第２の柄部の先端部の一方には、前記回動軸部が一体的に形成され、前記第１の柄部の基端部及び前記第２の柄部の先端部の他方には、前記回動軸部が嵌合する孔部が形成されていることを特徴としている。
【００１３】
請求項４に記載の発明は、請求項３に記載の発明において、前記回動軸部と孔部とは、締り嵌めの寸法公差で嵌合されていることを特徴としている。
【００１４】
請求項５に記載の発明は、請求項３又は４に記載の発明において、前記回動軸部の先端側には、当該回動軸部が前記孔部に嵌合した状態において当該孔部から突出した状態となる抜止部が設けられており、前記抜止部は、その外周面が先端側から基端側に向けて前記孔部の内径より小さな径から当該孔部の内径より大きな径に漸次テーパ状に拡径するように形成され、基端が前記回動軸部の径まで段状に縮径された係止端面によって形成されていることを特徴としている。
【発明の効果】
【００１５】
請求項１に記載の発明によれば、第１の柄部の基端部と第２の柄部の先端部とが回動軸部によって回動自在に連結されており、回動軸部の回動中心線の方向が皿部に作用する掬う方向の力又はその反対の方向の力に基づく曲げモーメントの回動軸線（この回動軸線の回りに曲げモーメントが生じることになる。）の方向に略直交する方向に向けられているので、例えば第２の柄部が第１の柄部の基端側に長く延在するように開いた状態において、上記曲げモーメントにより、第１の柄部と第２の柄部とが回動軸部で屈曲したり、当該第２の柄部が第１の柄部に重なるように折り畳まれた状態になったりするのを防止することができる。
【００１６】
また、回動軸部の回動中心線の方向が第１の柄部の延在する方向に略直交する方向に向けられているので、第２の柄部を第１の柄部側に回動することにより、これらの第１の柄部及び第２の柄部が互いに重ねられた極めてコンパクトな形状に折り畳むことができる。更に、第２の柄部を第１の柄部の基端側に延在するように開くことにより、第１の柄部及び第２の柄部が直線状に長く延在した形状の柄部を得ることができる。
【００１７】
請求項２に記載の発明によれば、第１の柄部の基端部及び第２の柄部の先端部の一方には係止凸部が設けられ、第１の柄部の基端部及び第２の柄部の先端部の他方には第２の柄部が少なくとも第１の柄部の基端側に長く延在するように開いた状態において、係止凸部に係合して上記開いた状態を保持する係止凹部が設けられているので、柄部を長く延在した状態により安定的に保持することができる。
【００１８】
請求項３に記載の発明によれば、第１の柄部の基端部及び第２の柄部の先端部の一方には回動軸部が一体的に形成され、第１の柄部の基端部及び第２の柄部の先端部の他方には前記回動軸部が嵌合する孔部が形成されているので、回動軸部を孔部に挿入するだけで簡単に組み立てることができる。
【００１９】
請求項４に記載の発明によれば、回動軸部と孔部とは、締り嵌めの寸法公差で嵌合されているので、第１の柄部に対して第２の柄部を回動する際に所定の抵抗が生じることになる。従って、柄部を長く延在するように開いた状態をより安定的に維持することができる。また、折り畳んだ状態も安定的に維持することができる。
【００２０】
請求項５に記載の発明によれば、回動軸部の先端側には抜止部が設けられており、抜止部はその外周面が先端側から基端側に向けて前記孔部の内径より小さな径から当該孔部の内径より大きな径に漸次テーパ状に拡径するように形成され、基端が前記回動軸部の径まで段状に縮径された係止端面によって形成されているので、抜止部及び回動軸部を孔部に容易に挿入することができると共に、抜止部が孔部から突出した状態において、その係止端面が孔部の縁に係止することになる。従って、回動軸部を孔部に簡単に挿入することができると共に、その挿入した状態を確実に維持することができる。
【図面の簡単な説明】
【００２１】
【図１】本発明の一実施形態として示した折畳式スプーンの図であって、（ａ）は柄部を折り畳んだ状態の正面図であり、（ｂ）は柄部を長く延在するように開いた状態の正面図である。
【図２】同折畳式スプーンを示す図であって、（ａ）は柄部を折り畳んだ状態の要部断面図であり、（ｂ）は柄部を長く延在するように開いた状態の要部断面図であり、（ｃ）は（ｂ）のＣ矢視方向からの第２の柄部の図であり、（ｄ）は（ｂ）のＤ矢視方向からの第１の柄部の図である。
【図３】同折畳式スプーンの要部を示す図であって、（ａ）は柄部を長く延在するように開いた状態における回動軸部に対応する部分の要部断面図であり、（ｂ）は（ａ）のＢ−Ｂ線に沿う断面図であり、（ｃ）は折り畳んだ状態から第２の柄部を９０°回動した後の状態を示す説明図であり、（ｄ）は長く延在するように開く直前の状態を示す説明図である。
【図４】同折畳式スプーンにおける回動軸部の他の例を示す図であって、（ａ）は柄部を長く延在するように開いた状態における回動軸部に対応する部分の要部断面図であり、（ｂ）は（ａ）のＢ矢視図であり、（ｃ）は（ａ）のＢ矢視方向からの第２の柄部の要部を示す図である。
【図５】従来例として示した折畳式スプーンを示す図であって、（ａ）は柄部を折り畳む途中の状態を示す斜視図であり、（ｂ）は柄部を長く延在するように開いた状態を示す斜視図である。
【発明を実施するための形態】
【００２２】
本発明の一実施形態として示した折畳式スプーンについて、図面を参照しながら詳細に説明する。
【００２３】
この実施形態で示す折畳式スプーン１は、図１〜図３に示すように、凹状の皿部２に設けた柄部３を折り畳み可能に構成したものである。即ち、柄部３は、先端部が皿部２に一体的に形成された第１の柄部４と、先端部が第１の柄部４の基端部に回動軸部６を介して回動自在に連結された第２の柄部５とを備えている。
【００２４】
回動軸部６は、その回動中心線Ｃｔの方向が、図２及び図３に示すように、皿部２に作用する掬う方向の力Ｆ１又はその掬う方向とは反対の方向の力Ｆ２に基づく曲げモーメントＭ１、Ｍ２の回動軸線Ｌ１（この回動軸線Ｌ１回りに曲げモーメントＭ１、Ｍ２が生じることになる。）の方向に略直交し、かつ当該第１の柄部４の延在する方向の軸線Ｌ２に略直交する方向に向けられている。
【００２５】
第１の柄部４は、一定の厚さ及び幅を有する帯状に長い平板によって形成されている。第２の柄部５についても、一定の厚さ及び幅を有する帯状に長い平板によって形成されている。但し、第２の柄部５は、その厚さが第１の柄部４よりやや薄いものとなっている。
【００２６】
第２の柄部５における先端部の下面には、第１の柄部４における基端部の上面に対応する部分であって、当該第２の柄部５の幅方向の中心線上の位置に、回動軸部６より大径の円筒外周面を有する台座部５ａが形成されていると共に、この台座部５ａの下面に回動軸部６が当該台座部５ａと同軸状に形成されている。即ち、回動軸部６は、その回転中心線Ｃｔが第２の柄部５の下面に対して直交する方向となるように第１の柄部４に台座部５ａと共に一体的に形成されている。
【００２７】
第１の柄部４の基端部には、図３に示すように、第２の柄部５の先端部に対応する部分における第１の柄部４の幅方向の中心線上の位置に、回動軸部６が回動自在に嵌合する孔部４ａが形成されている。孔部４ａは、第１の柄部４を厚さ方向に貫通するように形成されていると共に、その中心線が第１の柄部４の上面に直交する方向に延在するように形成されている。また、第１の柄部４には、その下面に、孔部４ａと同軸状に座ぐり４ｂが形成されている。この座ぐり４ｂは、孔部４ａの周囲に所定の深さの凹部を形成するものとなっている。
【００２８】
回動軸部６の先端側には、当該回動軸部６が孔部４ａに嵌合した状態において当該孔部４ａから突出した状態となる抜止部７が当該回動軸部６と同軸状に一体的に形成されている。この抜止部７は、その外周面７ａが先端側から基端側に向けて孔部４ａの内径より小さな径から当該孔部４ａの内径より大きな径に漸次テーパ状に拡径するように形成されていると共に、基端が回動軸部６の径まで段状に縮径された係止端面７ｂによって形成されている。係止端面７ｂは、回動軸部６が孔部４ａに嵌合された状態において、当該孔部４ａの周縁部に形成された座ぐり４ｂの底面に当接するようになっている。
【００２９】
また、回動軸部６と孔部４ａとは、締り嵌めの寸法公差で嵌合するように径が設定されている。即ち、回動軸部６は、孔部４ａに対して０．１〜１％程度大きな径となるような寸法公差で形成されている。この寸法公差により、第１の柄部４に対して第２の柄部５を人の手の指の力で十分に回動することが可能な程度の所定の抵抗が生じるようになっている。
【００３０】
一方、第１の柄部４の上面には孔部４ａの周囲に一対の係止凸部４１、４１が設けられており、第２の柄部５の下面には台座部５ａの周面に各係止凸部４１、４１にそれぞれ係合する一対の係止凹部５１、５１が設けられている。
【００３１】
係止凸部４１、４１は、台座部５ａの高さよりわずかに低い半円柱状に形成されたものであり、第１の柄部４の幅方向の中心線上に設けられていると共に、台座部５ａの両側の位置であって、半円筒状外周面における周方向の中央部が台座部５ａにおける円筒状外周面に近接又は接する位置に設けられている。これらの係止凸部４１、４１は、第１の柄部４と一体的に形成されている。
【００３２】
係止凹部５１、５１は、台座部５ａの円筒状外周面における第２の柄部５の幅方向の中心線に対応する各位置に形成されている。各係止凹部５１は、係止凸部４１の半円筒状外周面の一部が嵌り込むような形状の凹状に形成されている。また、台座部５ａの外周面には、各係止凹部５１の両側に傾斜面５２、５２が形成されている。各傾斜面５２は、台座部５ａにおける円筒状の外周面から係止凹部５１の周方向の各縁に向けて直線状又は曲線状に漸次盛り上がるように形成されている。この場合、各係止凹部５１の底面部は、台座部５ａの円筒状外周面と同径の位置となるように形成されている。
【００３３】
また、皿部２、第１の柄部４及び第２の柄部５のぞれぞれは、ポリプロピレン、ポリエチレン、ポリスチレン等のプラスチックによって形成されている。
【００３４】
上記のように構成された折畳式スプーン１においては、第１の柄部４の基端部と第２の柄部５の先端部とが回動軸部６によって回動自在に連結されており、回動軸部６の回転中心線Ｃｔの方向が皿部２に作用する掬う方向の力Ｆ１又はその反対の方向の力Ｆ２に基づく曲げモーメントＭ１、Ｍ２により第１の柄部４が回動することが可能となる中心線としての回動軸線Ｌ１の方向に略直交する方向に向けられているので、第２の柄部５が第１の柄部４の基端側に長く延在するように開いた状態において、曲げモーメントＭ１、Ｍ２により、第１の柄部４と第２の柄部５とが回動軸部６で回動して屈曲したり、当該第２の柄部５が第１の柄部４に重なるように折り畳まれた状態になったりすることがない。
【００３５】
しかも、回動軸部６が第１の柄部４の延在する方向の軸線Ｌ２に略直交する方向に向けられているので、第２の柄部５を第１の柄部４側に回動することにより、これらの第１の柄部４及び第２の柄部５を互いに重ねられた状態の極めてコンパクトな状態にすることができる。即ち、折畳式スプーン１は、図１（ａ）に示すように、折り畳んだ状態で例えば透明袋Ｂに挿入した上で、アイスクリーム等の容器Ａの蓋部又は底部に貼り付けることができる。また、第２の柄部５を第１の柄部４の基端側に延在するように開いた状態においては直線状に長く延在する柄部３を得ることができる。
【００３６】
更に、第１の柄部４の基端部にはその幅方向の中心線上に一対の係止凸部４１、４１が設けられ、第２の柄部５の先端部にはその幅方向の中心線上に各係止凸部４１に係合する一対の係止凹部５１、５１が設けられているので、折り畳んだ状態にした場合も、開いた状態の場合も、係止凸部４１と係止凹部５１とが係合した状態になる。従って、折り畳んだ状態又は開いた状態を安定的に維持することができる。
【００３７】
また、第２の柄部５の先端部には回動軸部６が一体的に形成され、第１の柄部４の基端部には、回動軸部６が嵌合する孔部４ａが形成されているので、回動軸部６を孔部４ａに挿入するだけで、簡単に組み立てることができる。
【００３８】
しかも、回動軸部６と孔部４ａとは、締り嵌めの寸法公差で嵌合されているので、第１の柄部４に対して第２の柄部５を回動する際に所定の抵抗が生じることになる。従って、柄部３を長く延在するように開いた状態を、より安定的に維持することができる。また、折り畳んだ状態も安定的に維持することができる。
【００３９】
更に、回動軸部６の先端側には抜止部７が設けられており、抜止部７はその外周面７ａが先端側から基端側に向けて孔部４ａの内径より小さな径から当該孔部４ａの内径より大きな径に漸次テーパ状に拡径するように形成され、基端が回動軸部６の径まで段状に縮径された係止端面７ｂによって形成されているので、抜止部７及び回動軸部６を孔部４ａに容易に挿入することができると共に、抜止部７が孔部４ａから突出した状態において、その係止端面７ｂが孔部４ａの縁に沿う座ぐり４ｂの底面に当接することになる。従って、回動軸部６を孔部４ａに簡単に挿入することができると共に、その挿入した状態を確実に維持することができる。
【００４０】
なお、上記実施形態においては、回動軸部６及び抜止部７を円柱状の中実のもので構成した例を示したが、この回動軸部６及び抜止部７については、図４に示すように、円筒内面６ａを有するもので形成し、その円筒状の壁部に軸方向に延在する所定の幅のスリット６ｂを一つ以上形成したもので構成してもよい。図４は、４つのスリット６ｂを周方向に一定の間隔をおいて配置したものの例を示している。このようにスリット６ｂを形成することにより、回動軸部６及び抜止部７を孔部４ａにより簡単に挿入することができるという利点がある。
【００４１】
また、上記実施形態においては、係止凸部４１、４１を第１の柄部４の幅方向の中心線上に設け、係止凹部５１、５１を第２の柄部５の幅方向の中心線上に設けた例を示したが、係止凸部４１、４１及び係止凹部５１、５１については、上述した中心線上の位置に設けられていなくてもよい。但し、第１の柄部４と第２の柄部５とを折り畳んだ状態及び開いた状態において、各係止凸部４１と、各係止凹部５１とが係合するように、各係止凸部４１と、各係止凹部５１の位置を設定する必要がある。
【００４２】
また、係止凸部４１、４１を第２の柄部５に設け、係止凹部５１、５１を第１の柄部４に設けるように構成してもよい。この場合、台座部５ａについても第１の柄部４側に設けることになる。
【００４３】
更に、一つの係止凸部４１を第１の柄部４及び第２の柄部５の何れか一方に設け、一つの係止凹部５１を第１の柄部４及び第２の柄部５の何れか他方に設けることにより、第１の柄部４及び第２の柄部５が開いた状態において、これらの係止凸部４１と係止凹部５１とが係合するように構成してもよい。
【００４４】
更にまた、上記係止凸部４１及び係止凹部５１に代えて、例えば第１の柄部４の上面に係止凸部又は係止凹部を設け、第２の柄部５の下面に上記係止凸部又は係止凹部に係合する係止凹部又は係止凸部を設けるように構成してもよい。
【００４５】
また、上記実施形態においては、回動軸部６を第２の柄部５の先端部に一体的に形成し、孔部４ａを第１の柄部４の基端部に形成した例を示したが、回動軸部６を第１の柄部４の基端部に一体的に形成し、孔部４ａを第２の柄部の先端部に形成するように構成してもよい。
【００４６】
そして、回動軸部６については、第１の柄部４及び第２の柄部５と別体のもので構成してもよい。即ち、第１の柄部の基端部及び第２の柄部の先端部に、別体の回動軸部と回動自在に嵌合する孔部を形成すると共に、上記別体の回動軸部として一端部に鍔部を有し他端部に上述した抜止部７を有するもので形成し、当該別体の回動軸部を第１の柄部及び第２の柄部の孔部に挿入することで、これらの第１の柄部と第２の柄部とを回動自在に連結するように構成してもよい。
【符号の説明】
【００４７】
１  折畳式スプーン
２  皿部
３  柄部
４  第１の柄部
４ａ  孔部
５  第２の柄部
６  回動軸部
７  抜止部
７ａ  外周面
７ｂ  係止端面
４１  係止凸部
５１  係止凹部
Ｃｔ  回動中心線
Ｆ１  皿部に作用する掬う方向の力
Ｆ２  皿部に作用する掬う方向とは反対の方向の力
Ｌ１  回動軸線
Ｌ２  第１の柄部の延在する方向（軸線）
Ｍ１、Ｍ２  曲げモーメント
【図１】
2018099159.tif 000003
【図２】
2018099159.tif 000004
【図３】
2018099159.tif 000005
【図４】
2018099159.tif 000006
【図５】
2018099159.tif 000007